(57)【要約】【課題】従来の方法は、調整幅が制限されていた。【解決手段】帽子のすべりに２箇所以上取り付けられた紐通し用ループと、そのループに通したサイズ調整用の紐を備え、その紐を頭頚に合わせて調整できるようにした。  すなわち、サイズ調整用の紐の一端をすべりに設けた左右2箇所の紐通し用ループに順次通して往復させて他端と結ぶ。環状となった紐の周長は紐を結ぶ位置で変化する。これを利用して頭頚に合わせてサイズを調整すると、紐のない部分は帽子のすべりで押さえ、紐の部分は紐を頭径に合わせて調整して頭皮にフィットするようになる。これにより、大幅にサイズ調整ができるようになる。【選択図】  図１
2014005575.tif 000002
【特許請求の範囲】
【請求項１】
裏側にすべりを備えた帽子本体と、
当該すべりに２箇所以上取り付けられた紐通し用ループと、
当該紐通し用ループに通されたサイズ調整用の紐を備え、
当該紐を頭頚に合わせて調整可能に形成されていることを特徴とする帽子。                
【請求項２】
前記紐が伸縮紐である請求項１記載の帽子。
【請求項３】
前記紐通し用ループが前記すべりの裏面側に取り付けられた請求項１及び請求項２記載の帽子。
【請求項４】
前記紐通し用ループが前記すべりの裏面側に取り付けられ、さらにそのループの先頭部分がすべりの表面側に突き出ている請求項１及び請求項２記載の帽子。
【発明の詳細な説明】
【技術分野】
【０００１】
本発明は、サイズ調整可能な帽子に関する。
【背景技術】
【０００２】
従来の帽子のサイズ調整方法には、内周面の後頭部に伸縮性のあるゴム部分や面テープ等を設けたりしていたものがある。（特許文献１参照）
また、帽子の周縁の左右内面に伸縮性ビン皮を縫着し、内部にフリーな状態で架け渡し、核ビン皮が頭頚に応じて伸縮するものもあった（特許文献２参照）。
【先行技術文献】
【特許文献】
【０００３】
【特許文献１】登録実用新案第３１１４１２３号広報
【特許文献２】特開２００４−１２４２８５号広報
【発明の概要】
【発明が解決しようとする課題】
【０００４】
以上に述べた従来の帽子のサイズ調節方法は、調整幅が制限され、見栄えを低下させ、対応できる帽子の種類が限定されていた。
また、ゴム紐等の調整具は縫着等によって取り付けられていて、劣化等で機能低下してもその取り換えはなされていなかった。
【０００５】
本発明は、このような従来の方法が有していた問題を解決しようとするものであり、調節幅がほぼ制限なく、見栄えを低下させず、どんな種類の帽子にも対応でき、調整具の取り換えも簡単にできるサイズ調節可能な帽子を提供することを目的とするものである。
【課題を解決するための手段】
【０００６】
そして、本発明は上記目的を達成するために、裏側にあるすべりを備えた帽子本体と、当該すべりに２箇所以上取り付けられた紐通し用ループと、当該紐通し用ループに通したサイズ調整用の紐とを備え、当該紐を頭頚に合わせて調整可能に形成されている。
【０００７】
さらに、本発明はサイズ調整用の紐が伸縮紐である。
【０００８】
さらに、本発明は紐通し用ループがすべりの裏面側に取り付けられている。
【０００９】
さらに、本発明は紐通し用ループがすべりの裏面側に取り付けられかつそのループの先頭部分がすべりの表面側に突き出ている。                
【００１０】
上記の課題解決手段による作用は次の通りである。すなわち、サイズ調整用の紐の一端をすべりに取り付けられた2箇所以上の紐通し用ループに順次通して往復させて他端と結ぶ。この時環状となった紐の周長は紐の一端と他端とをどこの位置で結ぶかによって自由に変化することになる。このことを利用するとほぼ制限なくサイズ調整ができ、紐がない頭部はすべりで押さえて、紐がある部分は頭頚に合わせて調整された紐が頭部にフィットするようになる。
また、帽子の裏側でサイズ調節しその痕跡は外から見えないので、帽子の見栄えが低下したりデザイン性が損なわれたりしない。
また、すべりのない帽子はないので、どんな種類の帽子にも対応できるものとなっている。
また、サイズ調整用の紐は、帽子に取り付けられておらず着脱自在となっているので、その取り換えはその紐を交換するだけなので誰でも簡単にできる。
【００１１】
さらに、紐が伸縮紐になることによって、頭頚に合って調整された伸縮紐の伸縮性によって着帽時のフィット感が格段に増し、風飛び防止機能が向上する効果を発揮する。
【００１２】
さらに、紐通し用ループがすべりの裏面側に取り付けられることによって、すべりの表面側にはサイズ調整機能の痕跡が殆ど現れなくなり帽子本体の裏側の見栄えが良い。また、紐通し用ループやサイズ調整用の紐による凹凸が頭部に殆ど感じなくなり着帽時の違和感がなくなる。また、緩めに調整しておいてここを調整用の紐の保管場所として利用することもできる。
【００１３】
さらに、紐通し用ループがすべりの裏面側に取り付けられかつそのループの先頭部分がすべりの表面側に突き出ている時は、すべり表面側にあるのはそのループの先頭部分だけで帽子本体の裏側の見栄えも劣らない。また、着帽時頭部に触れるのは調整用の紐だけなのですべりの凹凸による違和感も殆どない。
【発明の効果】
【００１４】
上述したように本発明のサイズ調整が可能な帽子は、調整幅がほぼ制限ない位大きくなっている。
調整幅が大きいと同じデザインで何サイズも製造する必要がないのでコスト減となる。また、女性は着帽してヘアスタイルが崩れるのを気にするが、調整幅が大きいと難なく大きめサイズを被れるのでヘアスタイルの崩れも抑えられる。
【００１５】
また、紐を伸縮紐にした場合、紐の伸縮性で常に頭にしっかりフィットするので風飛び防止効果も格段に高くなる。動いたり走ったりしたら帽子が風に飛ばされる不安からも解放される。特に、割と大きめにできた麦わら帽子は風に飛ばされやすく、一般的にはあご紐で風飛び防止している。本装置を設けて着帽してみると風飛び防止効果が高いことがわかる。
【００１６】
また、帽子の裏側でサイズ調節しその痕跡は外から見えないので、帽子の見栄えが低下したりデザイン性が損なわれたりしない。
【００１７】
また、従来の調整方法はそれぞれ適用可能な帽子の種類が限定されていた。例えば、後頭部の帽子の帯の１部分が欠けたクリップサンバイザーの場合、従来のアジャスターや面テープ等を設けることも困難であった。特に麦わら帽子は一本の紐状のものを編み上げているので一部を切り裂いて加工する従前の方法は難しかった。
すべり部分に設置された紐通し用ループと着脱自在の調整用の紐とでサイズ調整する本発明は、すべりのない帽子はないのでどんな種類の帽子にも対応できるものとなっている。
【００１８】
また、調整用のゴム等が縫着等で帽子本体に取り付けられていた従来の場合、ゴム等の劣化などで調整機能が低下してもこれを取り換えようとすると縫着等の技術と手間を要するので取り換えることはなかった。
本発明で調整用の紐を伸縮紐にした場合でも、これを取り換えるにはループに新たな伸縮紐を通して結ぶだけである。針も糸も不要で子供でも男性でも年配の方でも誰でも簡単に短時間で取り換えることができる。いつまでもサイズ調節機能を維持しつつ帽子本体を長く使えて経済的である。
【００１９】
また、帽子のすべり部分をいかに頭皮に密着させるかでサイズ調整していた従来の場合、普通深目浅目の被りでサイズが１〜２ｃｍの差ができるので、フィット感を常に保つことはできなかった。
しかし、本発明で紐を伸縮紐にした場合、頭頚とすべりとの間に差があっても紐の伸縮性でその差は吸収され、常に頭部にしっかりフィットするようになる。斜め横被りでもどんな被り方でもフィット感やポーズも維持できる。普段は頭囲にあわせて緩めに、風が強い時は強めにと好みの強さにして、着帽時のフィット感を楽しむことができる。
【００２０】
また、これまではピッタリサイズほどすべり部分と頭皮の間には隙間がなく頭が蒸れたり汗でべとついたりしていた。
しかし、本発明は紐を頭部に密着させるので、すべりと頭部の間には隙間ができて通気性通風性がよくなり、頭が蒸れたり汗でべとついたりせず爽やかな付け心地となる。
【図面の簡単な説明】
【００２１】
【図１】ループが２箇所の時の実施形態を示す帽子裏側平面図
【図２】図１の帽子の紐とループ部分の拡大図
【図３】図１の帽子の着帽時の側面図
【図４】図１の帽子の着帽時の平面図
【図５】ループをすべり裏面に取り付けた時の平面図
【図６】図５のループ出口を設けた時のすべり裏面側の拡大図
【図７】図５のループ出口を設けた時のすべり表面側の拡大図
【発明を実施するための形態】
【００２２】
以下、本発明の実施の形態を図１〜図３に基づいて説明する。
【００２３】
図１〜図３は本発明のループが左右２箇所の時の実施形態に係り、図１はその帽子裏側平面図、図２は図１の帽子の紐とループ部分の拡大図、図３は図１の帽子の着帽時の側面図である。ここでループとは、リボンテープなどを用いて紐を挿通するために輪状態に形成されたものをいう。
図１〜図３においては、１は帽子本体、２−１は裏側のすべり表面、２−２は裏側のすべり裏面、３−１はサイズ調整用の紐、３−２はサイズ調整用の紐の結び目、４−１ａ，４−１ｂ、４−２ａ、４−２ｂ、４−３，４−４はすべりの左右前後に取り付けられた紐通し用のループ、４−５ａ,４−５ｂは紐通し用のループ出口である。
【実施形態１】
【００２４】
以下、上記実施形態１の作用効果を図１に基づいて説明する。サイズ調整用の紐の一端をすべりに取り付けられた４−１ａループから４−２ａループへと順次通し、そこから往復させて４−１ａループにもどって他端と結ぶ。
すべりの左右２箇所にループを設けて帽子の後半分または前半分で調整する場合である。
４−１ａループと４−２ａループの間で環状となった紐の周長は、紐の一端と他端とを結ぶ位置で自由に変化することになる。このことを利用して頭頚に合わせて最適な位置で紐を結んでサイズを調節する。そうすると、紐がない部分は帽子のすべりで押さえて、紐がある部分は頭頚に合った紐が頭部にフィットするようになる。
【００２５】
そして紐は、帽子の後頭部または前頭部のすべりの下端部に沿うようにして外観上見えなくなる。ここで、紐の結びは手結びに限らず調整具を使っても良い。
【００２６】
１回以上捩って紐を結ぶと、左右のループ間で二重になった紐がバラバラに広がらないので帽子の内周縁に沿ってすっきり収まりやすい。
【００２７】
紐を往復させずにその両端をそれぞれ左右の４−１ａループと４−２ａループに結び付けてサイズ調整することもできる。
【００２８】
これにより次の効果が生じる。
頭の左右を押さえて固定するクリップバイザーはこめかみが痛くなるのを嫌う人がいる。しかし、本装置を付けて着帽してみたが、左右の圧力は変わらず使用感がより悪化することもなかった。左右のループではなくクリップ先端２箇所にループを設けてそこで調整しようとすると、左右の圧力が強くなってこめかみがより痛くなるようです。
【実施形態２】
【００２９】
以下、実施形態２の作用効果を図１に基づいて説明する。実施形態１同様、紐の一端を４−１ａループ⇒４−4ループ⇒４−２ａループへと通し、そこから往復させて４−4ループ⇒４−１ａループにもどって他端と結ぶ。
すべりの左右２箇所だけでなく中継点にもループを設けて頭の後半分で調整する場合である。
その他の作用効果は実施形態１記載の通りである。
【００３０】
実施形態１より紐が帽子の内周縁に沿ってすっきり収まりやすくなる。
【００３１】
紐の一端を４−１ａループ⇒４−4ループ⇒４−２ａループへと通し、その両端をそれぞれ左右の４−１ａループと４−２ａループに結び付けてサイズ調整することもできる。
【００３２】
これにより次の効果が生じる。
*つばのある頭の前半分で調整すると、頭皮と帽子本体の隙間から風が入り込み飛ばされやすくなる。よって、風がある時の風飛び防止には頭の後半分で調整するこの方法が良いと思われる。
【実施形態３】
【００３３】
以下、実施形態３の作用効果を図１に基づいて説明する。実施形態１同様、紐の一端を４−１ｂループ⇒４−3ループ⇒４−２ｂループへと通し、そこから往復させて４−3ループ⇒４−１ｂループにもどって他端と結ぶ。
すべり部分の左右２箇所だけでなく中継点にもループを設けて頭の前半分で
調整する場合である。
その他の作用効果は実施形態記載の通りである。
【００３４】
実施形態１より紐が帽子の内周縁に沿ってすっきり収まりやすいようになる。
【００３５】
伸縮紐等の一端を４−１ｂループ⇒４−3ループ⇒４−２ｂループへと通し、その両端をそれぞれ左右の４−１ｂループと４−２ｂループに結び付けてサイズ調整することもできる。
【００３６】
これにより次の効果が生じる。
この頭の前半分で調整する場合、顔面部分に隙間ができるので、化粧や汗等が帽子のスベリ部分に直接くっつかない。匂いや汚れが少なくなり帽子を清潔に使用できる。
【実施形態４】
【００３７】
実施形態４の作用効果を図１に基づいて説明する。実施形態３同様、紐の一端を４−１ｂループ⇒４−３ループ⇒４−２ｂループへと通し、そこから往復させて４−３ループ⇒４−１ｂループにもどって他端と結ぶ。
さらに、実施形態２同様、紐の一端を４−１ａループ⇒４−4ループ⇒４−２ａループへと通し、そこから往復させて４−4ループ⇒４−１ａループにもどって他端と結ぶ。
実施形態２と実施形態３の作用を同時にして頭を前半分と後ろ半分に分けて頭全体で調整する場合である。
その他の作用効果は実施形態１記載の通りである。
【００３８】
伸縮紐の一端を４−１ａループ⇒４−4ループ⇒４−２ａループ⇒４−３ループへと通して４−１ａループにもどって一周させて他端と結んで頭全体で調整することもできる。
【００３９】
これにより、調整幅は大きくなるので、割と大きめサイズにできている麦わら帽子等に最適と思われる。
【００４０】
本発明の特徴は次の通りである。
帽子本体には裏側すべり部分に紐通し用ループを少なくとも２個所取り付けているだけである。取り付け作業は単純で簡単で短時間ででき、リボンテープ等でも対応できる紐通し用ループも従前の調整用部材に比べ安くなる。
よって、従前より製作コストが安くなる。
【００４１】
また、紐通し用ループは、リボンテープ等薄い物でも対応できるので、すべりのループによる凹凸も少ないので着帽時の違和感は殆どなくなる。
【００４２】
更にループをすべりと帽子本体の間に取り付けて調整もここでする場合、ループや紐が頭皮に触れなくなるので違和感は全くなくなり、帽子本体の見栄えもよくなる。
調整不要な時の紐の保管場所としてここに紐を緩めに通しておくこともできる。
風が強い時に備えて第２の調整用として従来の調整機能付き帽子にも使用しやすくなっている。すべりにループを取り付けておくだけなので。
【００４３】
その他、更にループをすべりと帽子本体の間に取り付けて、調整はすべり表面ですることもできる。この場合、ループの出口を設けなければならないが、ループをすべり表側に取り付ける場合に比べると帽子の見栄えも良い。
【００４４】
また、帽子の左右に設けたループは、紐通し用だけでなく風飛び防止用のあご紐やファッション性を高めるリボン等の取り付け具として活用することもできる。
【００４５】
また、調整用の紐は着脱自在にでき、ループに付けたままでも帽子の内部に違和感なく収まるが、不要な時はループから外して別に保管しておくこともできる。
【００４６】
また、紐あるいはループの素材や種類、ループを設ける位置や数あるいはどのループを使用するか等は限定されるものではない。帽子の種類や用途やデザイン等によって最適なものにしていけばよい。
【符号の説明】
【００４７】
１        帽子本体
２−１    裏側のすべり表面
２−２    裏側のすべり裏面
３−１    サイズ調整用の紐
３−２    サイズ調整用の紐の結び目
４−１ａ  紐通し用のループ
４−１ｂ  紐通し用のループ
４−２ａ  紐通し用のループ
４−２ｂ  紐通し用のループ
４−３    紐通し用のループ
４−４    紐通し用のループ
４−５ａ  紐通し用のループ出口
４−５ｂ  紐通し用のループ出口
【図１】
2014005575.tif 000003
【図２】
2014005575.tif 000004
【図３】
2014005575.tif 000005
【図４】
2014005575.tif 000006
【図５】
2014005575.tif 000007
【図６】
2014005575.tif 000008
【図７】
2014005575.tif 000009
【手続補正書】
【提出日】平成24年9月5日(2012.9.5)
【手続補正１】
【補正対象書類名】特許請求の範囲
【補正対象項目名】全文
【補正方法】変更
【補正の内容】
【特許請求の範囲】
【請求項１】
裏側にすべりを備えた帽子本体と、
当該すべりに帽子本体の周方向へ互いに距離を隔てて２個以上取り付けられた紐通し用ループと、
当該紐通し用ループに通されるサイズ調整用の伸縮紐とを備え、
前記紐通し用ループの少なくとも２つは、前記帽子本体の両側部の位置にそれぞれ取り付けられており、前記伸縮紐は少なくともこれら２つの紐通し用ループを含む適宜箇所の紐通し用ループに通されて、その一部が前記帽子本体の内側領域を通るようになっており、
前記伸縮紐を頭部に合わせて調整可能に形成されており、
前記帽子本体が頭部に被らされた場合、前記伸縮紐の一部が頭部に密着するようになっていることを特徴とする帽子。
【請求項２】
前記紐通し用ループは前記すべりの裏面側に取り付けられており、すべりの紐通し用ループが取り付けられた箇所にはそれぞれ紐通し用ループの出口が設けてあり、各出口から対応する紐通し用ループの先頭部分がそれぞれ前記すべりの表面側に突き出ている請求項１記載の帽子。
【手続補正書】
【提出日】平成25年1月9日(2013.1.9)
【手続補正１】
【補正対象書類名】特許請求の範囲
【補正対象項目名】全文
【補正方法】変更
【補正の内容】
【特許請求の範囲】
【請求項１】
裏側にすべりを備えた帽子本体と、
当該すべりに帽子本体の周方向へ互いに距離を隔てて２個以上取り付けられた紐通し用ループと、
当該紐通し用ループに通されるサイズ調整用の伸縮紐とを備え、
前記紐通し用ループの少なくとも２つは、前記帽子本体の両側部の位置にそれぞれ取り付けられており、前記伸縮紐は少なくともこれら２つの紐通し用ループを含む適時箇所の紐通し用ループ間を往復して通されて、その一部が前記帽子本体の内側領域をとおるようになっており、
前記伸縮紐の一端を他端と結ぶことにより、頭部に合わせて調整可能に形成されており、
前記帽子本体が頭部に被らされた場合、前記伸縮紐の一部が頭部に密着するようになっていることを特徴とする帽子。
【請求項２】
前記紐通し用ループは前記すべりの裏面側に取り付けられており、すべりの紐通し用ループが取り付けられた箇所にはそれぞれ紐通し用ループ出口が設けてあり、各出口から対応する紐通し用ループの先頭部分がそれぞれ前記すべりの表面側に突き出ている請求項１記載の帽子。